(57)【要約】【課題】効率的にテレビ番組などを録画するためのネットワークシステム、情報処理方法、およびサーバを提供する。【解決手段】複数の録画装置２００Ａ−１，２００Ａ−２，２００Ｂ−１，２００Ｂ−２，２００Ｂ−３，２００Ｃ−１と、複数の録画装置のグループ関係を管理するサーバ１００と、を備えるネットワークシステム１が提供される。複数の録画装置のうちの第１の録画装置２００Ａ−１のメモリの残量が録画命令を完遂できない量である場合に、第１の録画装置の代わりに第１の録画装置と同じグループの第２の録画装置２００Ｂ−２が録画する。【選択図】図１
2019047348.tif 000002
【特許請求の範囲】
【請求項１】
複数の録画装置と、
前記複数の録画装置のグループ関係を管理するサーバと、を備えるネットワークシステムであって、
前記複数の録画装置のうちの第１の録画装置のメモリの残量が録画命令を完遂できない量である場合に、前記第１の録画装置の代わりに前記第１の録画装置と同じグループの第２の録画装置が録画する、ネットワークシステム。
【請求項２】
前記複数の録画装置の各々に第１のジャンルが対応付けられ、
前記サーバは、前記第１の録画装置と同じグループのうちの、録画の対象に対応するジャンルと同じ第１のジャンルが対応付けられている録画装置を前記第２の録画装置として選択する、請求項１に記載のネットワークシステム。
【請求項３】
前記サーバは、前記第１の録画装置と同じグループのうちの、過去に前記第１の録画装置が代わりに録画したことが多い録画装置を前記第２の録画装置として選択する、請求項１または２に記載のネットワークシステム。
【請求項４】
前記サーバは、前記第１の録画装置と同じグループのうちの、メモリの残量が多い録画装置を前記第２の録画装置として選択する、請求項１から３のいずれか１項に記載のネットワークシステム。
【請求項５】
前記サーバは、前記第１の録画装置と同じグループのうちの、メモリ容量の内の残量の割合が多い録画装置を前記第２の録画装置として選択する、請求項１から４のいずれか１項に記載のネットワークシステム。
【請求項６】
前記第１の録画装置の代わりに前記第２の録画装置が録画した番組の情報は前記第２の録画装置の録画リストに表示されない、請求項１から５のいずれか１項に記載のネットワークシステム。
【請求項７】
前記第１の録画装置の代わりに前記第２の録画装置が録画した番組の情報が前記第２の録画装置の録画リストに表示される、請求項１から５のいずれか１項に記載のネットワークシステム。
【請求項８】
前記第１の録画装置の代わりに前記第２の録画装置が録画した番組のうち、前記第１の録画装置がおススメ指定した番組を前記第２の録画装置の録画リストに表示し、前記第１の録画装置がおススメ指定しなかった番組は前記第２の録画装置の録画リストに表示しない、請求項１から５のいずれか１項に記載のネットワークシステム。
【請求項９】
前記第１の録画装置の代わりに前記第２の録画装置が録画した番組は、前記第１の録画装置の録画リストに前記第２の録画装置を特定するための情報と共に表示される、請求項１から８のいずれか１項に記載のネットワークシステム。
【請求項１０】
前記第１の録画装置の代わりに前記第２の録画装置が録画した番組に関して、前記第１の録画装置の録画リストに前記第２の録画装置を特定するための情報が表示されない、請求項１から８のいずれか１項に記載のネットワークシステム。
【請求項１１】
複数の録画装置と、
前記複数の録画装置のグループ関係を管理するサーバと、を備えるネットワークシステムであって、
前記複数の録画装置のうちの第１の録画装置がおススメ録画命令を受け付けた場合、前記第１の録画装置と同じグループの少なくとも１つの第２の録画装置から録画の提案を出力し、当該録画が承諾されると前記第１の録画装置の代わりに前記第２の録画装置が録画する、ネットワークシステム。
【請求項１２】
前記複数の録画装置の各々に第２のジャンルが対応付けられ、
前記サーバは、前記録画命令に対応するジャンルと同じ第２のジャンルが対応付けられている録画装置は、前記第２の録画装置に選択しない、請求項１から１１のいずれか１項に記載のネットワークシステム。
【請求項１３】
複数の録画装置と、
複数の録画装置のグループ関係を管理するサーバと、を備えるネットワークシステムであって、
前記複数の録画装置のうちの第２の録画装置が録画命令を受け付けた際に、前記第２の録画装置と同じグループの第１の録画装置は当該録画命令と同じ録画を実行しない、ネットワークシステム。
【請求項１４】
前記第２の録画装置は、前記第１の録画装置の代わりに録画するための録画予約は前記第１の録画装置の許可がない場合は削除しない、請求項１から１３のいずれか１項に記載のネットワークシステム。
【請求項１５】
前記第２の録画装置は、前記第１の録画装置の代わりに録画したデータは前記第１の録画装置の許可がない場合は削除しない、請求項１から１４のいずれか１項に記載のネットワークシステム。
【請求項１６】
前記第２の録画装置は、前記第１の録画装置の代わりに録画したデータは前記第１の録画装置による視聴まで削除しない、請求項１から１５のいずれか１項に記載のネットワークシステム。
【請求項１７】
前記第１の録画装置が受け付けた録画命令に関する情報をＳＮＳに投稿する、請求項１から１６のいずれか１項に記載のネットワークシステム。
【請求項１８】
前記第１の録画装置が受け付けた録画対象が前記第１の録画装置のユーザのＳＮＳの友達の録画装置が受け付けた録画対象と同じ場合に、当該友達の録画装置または前記第１の録画装置に同じグループへの加入を提案する、請求項１７に記載のネットワークシステム。
【請求項１９】
第１の録画装置が録画命令を受け付けるステップと、
前記第１の録画装置のメモリの残量が録画命令を完遂できない量である場合に、前記第１の録画装置の代わりに前記第１の録画装置と同じグループの第２の録画装置が前記録画命令に基づいて録画するステップと、を備える情報処理方法。
【請求項２０】
複数の録画装置と通信するための通信インターフェイスと、
前記通信インターフェイスを介して、複数の録画装置のうちの第１の録画装置が受け付けた録画命令を受信して、前記第１の録画装置のメモリの残量が録画命令を完遂できない量である場合に、前記第１の録画装置の代わりに前記第１の録画装置と同じグループの第２の録画装置に録画をさせるためのプロセッサと、を備えるサーバ。
【請求項２１】
通信インターフェイスと、プロセッサとを含むサーバにおける情報処理方法であって、
前記プロセッサが、前記通信インターフェイスを介して、複数の録画装置のうちの第１の録画装置が受け付けた録画命令を受信するステップと、
前記プロセッサが、前記第１の録画装置のメモリの残量が録画命令を完遂できない量である場合に、前記通信インターフェイスを介して、前記第１の録画装置の代わりに前記第１の録画装置と同じグループの第２の録画装置に録画をさせるステップと、を備える情報処理方法。
【発明の詳細な説明】
【技術分野】
【０００１】
本発明は、テレビ番組などを録画するためのネットワークシステム、情報処理方法、およびサーバの技術に関する。
【背景技術】
【０００２】
従来からテレビ番組などを録画するための技術が知られている。たとえば、特開２０１４−１１６８０９号公報（特許文献１）には、サーバ装置および録画予約管理プログラムが開示されている。特許文献１によると、ネットワークを介して複数の録画装置と接続するサーバ装置であって、複数の録画装置の識別情報を記憶する記憶部と、ユーザからのアクセスを受けた場合に、識別情報に対応する各録画装置から、少なくとも録画装置における録画予約の状況および記憶容量の空きに関する情報を含む録画装置情報を取得する情報取得部と、ユーザからのアクセスに応じて、コンテンツの録画予約を受け付ける録画予約受付部と、上記受け付けた録画予約の設定対象とする録画装置を、録画装置情報を参照した判断に基づいて、上記識別情報に対応する各録画装置の中から選択し、当該選択した録画装置に対して上記受け付けた録画予約を設定する録画予約設定部とを備える。
【０００３】
また、特開２０１０−１５４２３７号公報（特許文献２）には、放送受信記録装置及びプログラムが開示されている。特許文献２によると、据置型レコーダは、録画予約指定された番組について、その番組の最後までを録画可能か否かを事前に判別しておき、録画不可能な場合には、その番組に対する継続録画のための追加予約を行う。例えば、据置型レコーダ側でその番組の最後までを継続録画することができない場合、据置型レコーダは、他装置である連携機器（携帯電話装置）に対して予約指定番組の継続録画を依頼する。
【先行技術文献】
【特許文献】
【０００４】
【特許文献１】特開２０１４−１１６８０９号公報
【特許文献２】特開２０１０−１５４２３７号公報
【発明の概要】
【発明が解決しようとする課題】
【０００５】
本発明の目的は、効率的にテレビ番組などを録画するためのネットワークシステム、情報処理方法、およびサーバを提供することにある。
【課題を解決するための手段】
【０００６】
本発明のある態様に従うと、複数の録画装置と、複数の録画装置のグループ関係を管理するサーバと、を備えるネットワークシステムが提供される。複数の録画装置のうちの第１の録画装置のメモリの残量が録画命令を完遂できない量である場合に、第１の録画装置の代わりに第１の録画装置と同じグループの第２の録画装置が録画する。
【発明の効果】
【０００７】
以上のように、本発明によれば、効率的にテレビ番組などを録画するためのネットワークシステム、情報処理方法、およびサーバが提供される。
【図面の簡単な説明】
【０００８】
【図１】第１の実施の形態にかかるネットワークシステム１の全体構成を示す図である。
【図２】第１の実施の形態にかかるサーバ１００の構成を示すブロック図である。
【図３】第１の実施の形態にかかるグループ管理データ１２１を示す図である。
【図４】第１の実施の形態にかかるお好みジャンルデータ１２２を示す図である。
【図５】第１の実施の形態にかかるＮＧジャンルデータ１２３を示す図である。
【図６】第１の実施の形態にかかる予約管理データ１２４を示す図である。
【図７】第１の実施の形態にかかる録画管理データ１２５を示す図である。
【図８】第１の実施の形態にかかる機器管理データ１２６を示す図である。
【図９】第１の実施の形態にかかる録画機器２００の構成を示すブロック図である。
【図１０】第１の実施の形態にかかるテレビ３００の構成を示すブロック図である。
【図１１】第１の実施の形態にかかるネットワークシステム１の情報処理を示す図である。
【図１２】第１の実施の形態にかかる録画依頼側の予約リスト画面を示す図である。
【図１３】第１の実施の形態にかかる録画受任側の予約リスト画面を示す図である。
【図１４】第１の実施の形態にかかる録画依頼側の録画リスト画面を示す図である。
【図１５】第１の実施の形態にかかる録画受任側の録画リスト画面を示す図である。
【図１６】第１の実施の形態にかかる録画依頼側の第２の録画リスト画面を示す図である。
【図１７】第２の実施の形態にかかるＳＮＳ投稿提案画面を示す図である。
【図１８】第２の実施の形態にかかるグループ加入提案画面を示す図である。
【図１９】第２の実施の形態にかかるグループ加入招待画面を示す図である。
【図２０】第３の実施の形態にかかる予約削除禁止画面を示す図である。
【図２１】第３の実施の形態にかかる予約削除要請画面を示す図である。
【図２２】第３の実施の形態にかかる録画削除禁止画面を示す図である。
【図２３】第３の実施の形態にかかる録画削除要請画面を示す図である。
【図２４】第４の実施の形態にかかるネットワークシステム１の情報処理を示す図である。
【図２５】第５の実施の形態にかかるネットワークシステム１の情報処理を示す図である。
【図２６】第６の実施の形態にかかるグループ管理データ１２１Ｂを示す図である。
【図２７】第７の実施の形態にかかる第１のネットワークシステム１の全体構成を示す図である。
【図２８】第７の実施の形態にかかる第２のネットワークシステム１の全体構成を示す図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成と動作概要＞
【００１０】
まず、図１を参照して本実施の形態にかかるネットワークシステム１の全体構成について説明する。本実施の形態にかかるネットワークシステム１は、主に、録画協力サービスを提供するためのサーバ１００と、家庭やオフィスに配置される録画機能を有する録画機器２００Ａ−１，２００Ａ−２，２００Ｂ−１，２００Ｂ−２，２００Ｂ−３，２００Ｃ−１と、録画された映像を表示したり音声を出力したりするためのテレビ３００Ａ−１，３００Ａ−２，３００Ｂ−１，３００Ｂ−２，３００Ｂ−３，３００Ｃ−１とを含む。説明のために以下では、録画機器２００Ａ−１，２００Ａ−２，２００Ｂ−１，２００Ｂ−２，２００Ｂ−３，２００Ｃ−１を総称して録画機器２００ともいい、テレビ３００Ａ−１，３００Ａ−２，３００Ｂ−１，３００Ｂ−２，３００Ｂ−３，３００Ｃ−１を総称してテレビ３００ともいう。
【００１１】
本実施の形態においては、いずれかの録画機器２００が番組の録画命令を受け付けた場合であって、当該録画機器２００が録画対象の番組を最後まで録画するための空き容量を有していないときに、サーバ１００が、当該録画機器２００と同じグループに属する録画機器２００のうちの空き容量に余裕がある他の録画機器２００に録画対象の番組を録画させるものである。そして、録画機器２００のユーザは、当該他の録画機器２００の録画データを利用して録画対象の番組を視聴することができる。
【００１２】
以下、このような機能を実現するためのネットワークシステム１の具体的な構成について詳述する。
＜録画協力サービス用のサーバ１００のハードウェア構成＞
【００１３】
まず、本実施の形態にかかるネットワークシステム１を構成する録画協力サービス用のサーバ１００のハードウェア構成の一態様について説明する。図２を参照して、録画協力サービス用のサーバ１００は、主たる構成要素として、ＣＰＵ（Central Processing Unit）１１０と、メモリ１２０と、ディスプレイ１３０と、操作部１４０と、通信インターフェイス１６０とを含む。
【００１４】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１５】
メモリ１２０は、各種のＲＡＭ（Random  Access  Memory）、各種のＲＯＭ（Read-Only  Memory）などによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、操作部１４０から入力されたデータなどを記憶する。メモリ１２０は、たとえば、グループ管理データ１２１、お好みジャンルデータ１２２、ＮＧジャンルデータ１２３、予約管理データ１２４、録画管理データ１２５、機器管理データ１２６などを記憶する。
【００１６】
ここで、図３を参照して、グループ管理データ１２１は、録画機器２００とユーザとグループとの対応関係を格納する。ＣＰＵ１１０は、グループ管理データ１２１を参照して、同じグループに属する録画機器２００を特定することができる。なお、録画機器２００やユーザは、１つのグループのみに属することができる形態であってもよいし、複数のグループに重複して属することができる形態であってもよい。
【００１７】
図４を参照して、お好みジャンルデータ１２２は、機器毎に、機器ＩＤと、会員ＩＤと、当該機器で録画されることが多いジャンルや好みのジャンルとして登録されたものを指定するための情報との対応関係を格納する。ＣＰＵ１１０は、お好みジャンルデータ１２２を参照して、同じジャンルに興味を持っているユーザの録画機器２００を特定することができる。これによって、機器２００毎に好みのジャンルの番組を優先して録画代行させることができる。
【００１８】
図５を参照して、ＮＧジャンルデータ１２３は、機器毎に、機器ＩＤと、会員ＩＤと、嫌いなジャンルとして登録されたものを指定するための情報との対応関係を格納する。ＣＰＵ１１０は、ＮＧジャンルデータ１２３を参照して、録画機器２００のユーザが嫌いなジャンルの番組を録画することを避けることができる。これによって、機器２００毎に嫌いなジャンルの番組の録画代行を避けることができる。
【００１９】
図６を参照して、予約管理データ１２４は、録画予約毎に、録画の依頼元の機器のＩＤと、録画の依頼先の機器のＩＤと、録画に必要なメモリ容量と、チャンネルと、録画日時と、録画の番組名との対応関係を格納する。なお、予約管理データ１２４は、録画代行する録画予約のみに関してそれらの対応関係を管理してもよいし、録画協力サービスに加入している機器２００の全ての録画予約を管理してもよい。
【００２０】
図７を参照して、録画管理データ１２５は、録画済みのデータ毎に、録画の依頼元の機器のＩＤと、録画の依頼先の機器のＩＤと、録画データのデータ量と、チャンネルと、録画日時と、録画の番組名との対応関係を格納する。なお、録画管理データ１２５は、録画代行した録画データのみに関してそれらの対応関係を管理してもよいし、録画協力サービスに加入している機器２００の全ての録画データを管理してもよい。
【００２１】
図８を参照して、機器管理データ１２６は、機器毎に、機器のＩＤと、機器のユーザとしての会員のＩＤと、会員の氏名や表示名やニックネームと、機器のメモリの残りの容量と、機器のメモリの全容量との対応関係を格納する。
【００２２】
図２に戻って、操作部１４０は、サービスの管理者などの命令を受け付けて、当該命令をＣＰＵ１１０に入力する。
【００２３】
通信インターフェイス１６０は、ＣＰＵ１１０からのデータを、インターネット、キャリア網、ルータなどを介して録画機器２００などの他の装置に送信する。逆に、通信インターフェイス１６０は、インターネット、キャリア網、ルータなどを介して他の装置からのデータを受信して、ＣＰＵ１１０に受け渡す。
＜録画機器２００のハードウェア構成＞
【００２４】
次に、図９を参照して、ネットワークシステム１を構成する録画機器２００の構成の一態様について説明する。録画機器２００は、主たる構成要素として、ＣＰＵ２１０と、メモリ２２０と、ディスプレイ２３０と、操作部２４０と、通信インターフェイス２６０と、外部出力インターフェイス２９０とを含む。
【００２５】
ＣＰＵ２１０は、メモリ２２０あるいは外部の記憶媒体に記憶されているプログラムを実行することによって、録画機器２００の各部を制御する。
【００２６】
メモリ２２０は、各種のＲＡＭや各種のＲＯＭなどによって実現され、録画機器２００に内包されているものであってもよいし、録画機器２００の各種インターフェイスに着脱可能なものであってもよいし、録画機器２００からアクセス可能な他の装置の記録媒体であってもよい。メモリ２２０は、ＣＰＵ２１０によって実行される各種のプログラムや、ＣＰＵ２１０によるプログラムの実行により生成されたデータ、録画協力サービス用のサーバ１００や他のサーバから受信したデータ、操作部２４０を介して入力されたデータなどを記憶する。
【００２７】
ディスプレイ２３０は、ＣＰＵ２１０からの信号に基づいて、文字や画像などを出力する。ディスプレイ２３０は、複数のＬＥＤライトなどであってもよい。
【００２８】
操作部２４０は、ボタンやタッチパネルなどによって実現され、ユーザからの命令を受け付けて、当該命令をＣＰＵ２１０に入力する。なお、ディスプレイ２３０と操作部２４０とは、タッチパネルを構成してもよい。
【００２９】
通信インターフェイス２６０は、無線ＬＡＮ通信あるいは有線ＬＡＮなどの通信モジュールによって実現される。通信インターフェイス２６０は、有線通信あるいは無線通信によって録画協力サービス用のサーバ１００などの他の装置との間でデータをやり取りする。
【００３０】
外部出力インターフェイス２９０は、ＣＰＵ２１０からの信号に基づいて、録画データから変換された映像データをテレビ３００などに入力する。
＜テレビ３００のハードウェア構成＞
【００３１】
録画した番組を出力するためのテレビ３００の構成の一態様について説明する。図１０を参照して、テレビ３００は、主たる構成要素として、ＣＰＵ３１０と、メモリ３２０と、ディスプレイ３３０と、操作部３４０と、リモコン受光部３５０と、スピーカ３７０と、外部入力インターフェイス３９０とを含む。
【００３２】
ＣＰＵ３１０は、メモリ３２０に記憶されているプログラムを実行することによって、テレビ３００の各部を制御する。
【００３３】
メモリ３２０は、各種のＲＡＭや各種のＲＯＭなどによって実現され、テレビ３００に内包されているものであってもよいし、テレビ３００の各種インターフェイスに着脱可能なものであってもよいし、テレビ３００からアクセス可能な他の装置の記録媒体であってもよい。メモリ３２０は、ＣＰＵ３１０によって実行されるプログラムや、ＣＰＵ３１０によるプログラムの実行により生成されたデータ、入力されたデータや、サーバ１００から取得したデータなどを記憶する。
【００３４】
ディスプレイ３３０は、ＣＰＵ３１０からの信号に基づいて画像やテキストを表示する。たとえば、ＣＰＵ３１０は、録画機器２００から入力された番組の映像データに基づいて、ディスプレイ３３０に番組映像を出力させる。
【００３５】
操作部３４０は、キーボードやスイッチなどから構成され、ユーザからの命令を受け付けて、当該命令をＣＰＵ３１０に入力する。なお、ディスプレイ３３０と操作部３４０とは、タッチパネルを構成してもよい。
【００３６】
リモコン受光部３５０は、赤外線などのリモコン信号を受信して、制御信号をＣＰＵ３１０に受け渡す。
【００３７】
スピーカ３７０は、ＣＰＵ３１０からの信号に基づいて音声を出力する。たとえば、ＣＰＵ３１０は、録画機器２００から入力された番組の音声データに基づいて、スピーカ３７０に番組音声を出力させる。
【００３８】
外部入力インターフェイス３９０は、無線ＬＡＮ通信あるいは有線ＬＡＮなどの通信モジュールによって実現される。外部入力インターフェイス３９０は、有線通信あるいは無線通信によって録画機器から、録画された番組の映像データや音声データなどを取得する。
＜録画協力サービスの情報処理＞
【００３９】
次に録画協力サービスのネットワークシステム全体の情報処理について説明する。図１１は、本実施の形態にかかる録画協力サービスのネットワークシステム全体の情報処理を示すフローチャートである。
【００４０】
図１１を参照して、まず、いずれかのユーザが自身の有する録画機器２００Ａ−１に録画予約命令を入力する（ステップＳ１１０）。録画機器２００Ａ−１のＣＰＵ２１０は、メモリ２２０の残量を参照して、予約された録画を完遂できるか否かを判断する（ステップＳ１１２）。ＣＰＵ２１０は、メモリ２２０残量に余裕がある場合には自身で録画を実行し、メモリ２２０残量が録画を完遂できない場合には、録画協力サービスに加入しているか否かを判断する（ステップＳ１１４）。録画協力サービスに加入している場合、ＣＰＵ２１０はサーバ１００に録画の代行を要請する（ステップＳ１１６）。
【００４１】
サーバ１００のＣＰＵ１１０は、録画機器２００Ａ−１からの録画代行の要請を受けると、グループ管理データ１２１を参照して録画機器２００Ａ−１と同じグループの他のユーザの録画機器２００Ｂ−１，２００Ｂ−２，２００Ｂ−３，２００Ｃ−１を抽出し、通信インターフェイス１６０を介して当該他の録画機器に録画依頼を振り分ける（ステップＳ１２２）。
【００４２】
なお、ＣＰＵ１１０は、グループ管理データ１２１を参照して録画機器２００Ａ−１と同じグループの同じユーザの他の録画機器２００Ａ−２と、録画機器２００Ａ−１と同じグループの他のユーザの録画機器２００Ｂ−１，２００Ｂ−２，２００Ｂ−３，２００Ｃ−１とを抽出してもよい。
【００４３】
あるいは、サーバ１００のＣＰＵ１１０が、録画の対象となっている番組のジャンルに基づいて、好みジャンルデータ１２２を参照して、録画の対象の番組のジャンルと同じジャンルを好んでいるユーザの他の録画機器２００Ｂ−１，２００Ｂ−２，２００Ｂ−３，２００Ｃ−１を抽出してもよい。あるいは、ＣＰＵ１１０は、録画の対象となっている番組のジャンルに基づいて、ＮＧジャンルデータ１２３を参照して、録画の対象の番組のジャンルを嫌っているユーザの録画機器２００Ｂ−１，２００Ｂ−２，２００Ｂ−３，２００Ｃ−１を抽出対象から外すものであってもよい。
【００４４】
あるいは、サーバ１００のＣＰＵ１１０が、録画管理データ１２５を参照して、過去に録画機器２００Ａ−１が録画の代行をしてあげた回数が多い他の録画機器２００Ｂ−１，２００Ｂ−２，２００Ｂ−３，２００Ｃ−１を抽出したり、過去に録画機器２００Ａ−１が録画の代行をしてあげた録画データ量が多い他の録画機器２００Ｂ−１，２００Ｂ−２，２００Ｂ−３，２００Ｃ−１を抽出したりしてもよい。
【００４５】
あるいは、サーバ１００のＣＰＵ１１０が、機器管理データ１２６を参照して、空き容量が多い他の録画機器２００Ｂ−１，２００Ｂ−２，２００Ｂ−３，２００Ｃ−１を抽出したり、全容量のうちの空き容量の割合が多い他の録画機器２００Ｂ−１，２００Ｂ−２，２００Ｂ−３，２００Ｃ−１を抽出したりしてもよい。
【００４６】
他の録画機器２００Ｂ−１，２００Ｂ−２，２００Ｂ−３，２００Ｃ−１の各々は、メモリの残量を参照して、録画機器２００Ａ−１からの録画代行の依頼を受けられるか否かを判断する（ステップＳ１３２，ステップＳ１３４，ステップＳ１３６，ステップＳ１３８）。
【００４７】
サーバ１００のＣＰＵ１１０は、他の録画機器２００Ｂ−１，２００Ｂ−２，２００Ｂ−３，２００Ｃ−１からの、録画代行の依頼を受けられるか否かに関する返答に基づいて、通信インターフェイス１６０を介して、録画依頼の代行を受けられる録画機器の情報を依頼元の録画機器２００Ａ−１に返答する（ステップＳ１４２）。
【００４８】
依頼元の録画機器２００では、ＣＰＵ２１０が、サーバ１００からの返答を待ち受けてから、録画代行の依頼先を決定する（ステップＳ１５２）。録画代行の依頼先は、録画機器２００のＣＰＵ２１０が決定してもよいし、録画機器２００のユーザが決定してもよい。ＣＰＵ２１０は、通信インターフェイス２６０を介して、決定された依頼先をサーバ１００に伝える（ステップＳ１５４）。サーバ１００のＣＰＵ１１０は、録画機器２００からの指示に基づいて、通信インターフェイス１６０を介して、依頼先の録画機器２００に録画の代行の依頼を正式に行う（ステップＳ１６２）。
【００４９】
これによって、正式に録画の依頼を受けた録画機器２００Ｂ−２が、録画機器２００Ａ−１の代わりに、録画の予約を行う（ステップＳ１７４）。正式に録画の依頼を受けなかった録画機器２００Ｂ−１，２００Ｂ−３，２００Ｃ−１は、この時点では録画の予約を行わない（ステップＳ１７２，ステップＳ１７６，ステップＳ１７８）。
【００５０】
これによって、録画の依頼元の録画機器２００Ａ−１に関しては、テレビ３００Ａに、録画予約リストとして、図１２に示すように、他の録画機器に録画依頼した情報も表示させる。たとえば、録画機器２００Ａ−１のＣＰＵ２１０は、外部出力インターフェイス２９０を介して、テレビ３００Ａ−１に、録画予約毎に、予約Ｎｏ．と、録画日時と、録画する番組と、録画データの保存先の機器を特定するための情報とを表示させる。
【００５１】
一方、録画の依頼先の録画機器２００Ｂ−２に関しては、テレビ３００Ｂ−２に、録画予約リストとして、図１３に示すように、他の録画機器から録画依頼された情報も表示させる。たとえば、録画機器２００Ｂ−２のＣＰＵ２１０は、外部出力インターフェイス２９０を介して、テレビ３００Ｂ−２に、録画予約毎に、予約Ｎｏ．と、録画日時と、録画する番組と、録画データの保存先と、録画の依頼元の機器を特定するための情報とを表示させる。
【００５２】
なお、録画完了後には、録画の依頼元の録画機器２００Ａ−１に関しては、テレビ３００Ａに、録画完了リストとして、図１４に示すように、他の録画機器に録画してもらった情報も表示させる。たとえば、録画機器２００Ａ−１のＣＰＵ２１０は、外部出力インターフェイス２９０を介して、テレビ３００Ａ−１に、録画毎に、録画Ｎｏ．と、録画日時と、録画した番組と、録画データの保存先の機器を特定するための情報とを表示させる。
【００５３】
一方、録画の依頼先の録画機器２００Ｂ−２に関しては、テレビ３００Ｂ−２に、録画完了リストとして、図１５に示すように、他の録画機器から録画依頼された情報も表示させる。たとえば、録画機器２００Ｂ−２のＣＰＵ２１０は、外部出力インターフェイス２９０を介して、テレビ３００Ｂ−２に、録画毎に、録画Ｎｏ．と、録画日時と、録画した番組と、録画データの保存先と、録画依頼元の機器を特定するための情報とを表示させる。
【００５４】
なお、図１６に示すように、依頼元の録画機器において、録画予約リストに関しても、録画完了リストに関しても、録画データの保存先の機器を特定するための情報や、録画依頼元を特定するための情報を表示しない形態であってもよい。また依頼先の録画機器において、録画予約リストに関しても、録画完了リストに関しても、録画データの保存先の機器を特定するための情報や、録画依頼元を特定するための情報を表示しない形態であってもよい。
【００５５】
さらに依頼先の録画機器においては、そもそも代行した録画データに関する情報をリストに含めない形態であってもよい。あるいは、依頼先の録画機器においては、録画の依頼元の録画機器２００にユーザからのおススメ指定が入力された場合にのみ、代行した録画データに関する情報をリストに表示させてもよい。
＜第２の実施の形態＞
【００５６】
第１の実施の形態の構成に加えて、本実施の形態においては、入力された録画命令や録画予約命令をＳＮＳ（Social Networking Service）などに投稿するものである。
【００５７】
たとえば、図１７に示すように、録画機器２００のＣＰＵ２１０は、録画予約命令を受け付けた際に、外部出力インターフェイス２９０を介してテレビ３００に、ＳＮＳへの投稿の可否をユーザに問い合わせるための画面を表示させる。ＳＮＳへの投稿をユーザから指示されると、ＣＰＵ２１０は、通信インターフェイス２６０を介して、サーバ１００に録画予約に関する情報を送信する。サーバ１００のＣＰＵ１１０は、録画予約に関する情報を、予め設定されている録画機器２００のユーザのアカウントからＳＮＳに投稿する。
【００５８】
好ましくは、録画機器２００と、当該録画機器２００の第１のユーザとＳＮＳにおいて友達になっている第２のユーザの録画機器２００と、が同じ番組を録画したり録画の予約をしたりした場合に、サーバ１００は、図１８に示すように、第１および第２のユーザの録画機器２００に、録画協力サービスの同じグループに第２および第１のユーザの録画機器２００を招待するか否かを問い合わせる。第１または第２のユーザが承諾すると、サーバ１００のＣＰＵ１１０は、通信インターフェイス１６０を介して、図１９に示すように、第２または第１のユーザの録画機器２００に、録画協力サービスに関して、第１または２のユーザの録画機器２００と同じグループに加入するか否かを問い合わせる。第２または第１のユーザが承諾すると、ＣＰＵ１１０は、第１のユーザと第２のユーザとが同じグループに属するように、グループ管理データ１２１を更新する。
＜第３の実施の形態＞
【００５９】
第１および第２の実施の形態の構成に加えて、本実施の形態においては、録画の代行の依頼による録画予約や録画データは、依頼元の承諾無しに勝手に削除できないように構成されている。
【００６０】
より詳細には、録画の依頼先の録画機器２００Ｂ−２にユーザが、録画の代行の予約命令を削除するための命令を入力すると、ＣＰＵ２１０は、図２０に示すように、テレビ３００Ｂ−２に、他の録画機器２００からの依頼に基づいた録画予約命令であるため削除できない旨を出力する。この場合は、依頼先の録画機器２００Ｂ−２のＣＰＵ２１０が、通信インターフェイス２６０を介して、依頼元の録画機器２００Ａ−１に予約を削除してもよいか否かを問い合わせる。依頼元の録画機器２００Ａ−１では、ＣＰＵ２１０は、録画機器２００Ｂ−２からの要請に基づいて、図２１に示すように、テレビ３００Ａ−１を介して、録画予約命令を削除してもよいかをユーザに問い合わせる。依頼元の録画機器２００Ａ−１に録画予約の削除の許可が入力されると、依頼先の録画機器２００Ｂ−２の録画予約が削除される。
【００６１】
同様に、録画の依頼先の録画機器２００Ｂ−２にユーザが、録画の代行による録画データを削除するための命令を入力すると、ＣＰＵ２１０は、図２２に示すように、テレビ３００Ｂ−２に、他のユーザからの依頼に基づいた録画データであるため削除できない旨を出力する。この場合は、依頼先の録画機器２００Ｂ−２のＣＰＵ２１０が、通信インターフェイス２６０を介して、依頼元の録画機器２００Ａ−１に録画データを削除してもよいか否かを問い合わせる。依頼元の録画機器２００Ａ−１では、ＣＰＵ２１０は、録画機器２００Ｂ−２からの要請に基づいて、図２３に示すように、テレビ３００Ａ−１を介して、録画データを削除してもよいかをユーザに問い合わせる。依頼元の録画機器２００Ａ−１に録画データの削除の許可が入力されると、依頼先の録画機器２００Ｂ−２の録画データが削除される。
＜第４の実施の形態＞
【００６２】
第１から第３の実施の形態においては、録画機器２００Ａ−１が録画命令を完遂できない場合に、他の録画機器２００Ｂ−１，２００Ｂ−２，２００Ｂ−３，２００Ｃ−１に録画の代行を依頼するものであった。しかしながら、本実施の形態においては、録画機器２００Ａ−１に録画命令が入力された際に、同じグループ内に、同じ番組を録画する予定の録画機器２００Ｂ−２があると、当該録画機器２００Ｂ−２に録画を任せるものである。そして、依頼元の録画機器２００Ａ−１が、依頼先の録画機器２００Ｂ−２の録画データを視聴させてもらうものである。
【００６３】
以下では、本実施の形態にかかる録画協力サービスのネットワークシステム全体の情報処理について説明する。図２４は、本実施の形態にかかる録画協力サービスのネットワークシステム全体の情報処理を示すフローチャートである。
【００６４】
図２４を参照して、まず、いずれかのユーザが自身の有する録画機器２００Ａ−１に録画予約命令を入力する（ステップＳ１１０）。録画機器２００Ａ−１のＣＰＵ２１０は、録画協力サービスに加入しているか否かを判断する（ステップＳ１１４）。録画協力サービスに加入している場合、ＣＰＵ２１０はサーバ１００に録画の代行を要請する（ステップＳ１１６）。
【００６５】
サーバ１００のＣＰＵ１１０は、録画機器２００Ａ−１からの録画代行の要請を受けると、グループ管理データ１２１を参照して録画機器２００Ａ−１と同じグループの他の録画機器を抽出し、通信インターフェイス１６０を介して当該他の録画機器に、既に同じ番組の録画予約を受け付けている録画機器がないか問い合わせる（ステップＳ１２２Ｂ）。
【００６６】
他の録画機器２００Ｂ−１，２００Ｂ−２，２００Ｂ−３，２００Ｃ−１の各々は、既に同じ番組の録画予約を受け付けているか否かを判断し、録画を代行するか否かを決定する（ステップＳ１３２Ｂ，ステップＳ１３４Ｂ，ステップＳ１３６Ｂ，ステップＳ１３８Ｂ）。
【００６７】
サーバ１００のＣＰＵ１１０は、他の録画機器２００Ｂ−１，２００Ｂ−２，２００Ｂ−３，２００Ｃ−１からの返答に基づいて、通信インターフェイス１６０を介して、同じ番組の録画予約を受け付けている録画機器を示す情報を依頼元の録画機器２００Ａ−１に返答する（ステップＳ１４２）。
【００６８】
依頼元の録画機器２００では、ＣＰＵ２１０が、サーバ１００からの返答を待ち受けてから、録画代行の依頼先を決定する（ステップＳ１５２）。ＣＰＵ２１０は、通信インターフェイス２６０を介して、決定された依頼先をサーバ１００に伝える（ステップＳ１５４）。サーバ１００のＣＰＵ１１０は、録画機器２００からの指示に基づいて、通信インターフェイス１６０を介して、依頼先の録画機器２００に録画の代行の依頼を正式に行う（ステップＳ１６２）。
【００６９】
これによって、正式に録画の依頼を受けた録画機器２００Ｂ−２が、録画機器２００Ａ−１の代わりに、録画の予約を行う（ステップＳ１７４）。
【００７０】
本実施の形態においても、録画予約依頼や録画依頼に基づく録画予約や録画データは、依頼元の承諾無しに勝手に削除できない構成であることが好ましい。
＜第５の実施の形態＞
【００７１】
第１から第３の実施の形態においては、録画機器２００Ａ−１が録画命令を完遂できない場合に、他の録画機器２００Ｂ−１，２００Ｂ−２，２００Ｂ−３，２００Ｃ−１に録画の代行を依頼するものであった。しかしながら、本実施の形態においては、録画機器２００に通常の録画命令が入力された際は、自身で録画を実行し、おススメ録画命令が入力された際に、他の録画機器２００Ｂ−１，２００Ｂ−２，２００Ｂ−３，２００Ｃ−１に録画の代行を依頼するものである。
【００７２】
以下では、本実施の形態にかかる録画協力サービスのネットワークシステム全体の情報処理について説明する。図２５は、本実施の形態にかかる録画協力サービスのネットワークシステム全体の情報処理を示すフローチャートである。
【００７３】
図２５を参照して、まず、いずれかのユーザが自身の有する録画機器２００Ａ−１におススメ録画予約命令を入力する（ステップＳ２１０）。録画機器２００Ａ−１のＣＰＵ２１０は、録画協力サービスに加入しているか否かを判断する（ステップＳ２１４）。録画協力サービスに加入している場合、ＣＰＵ２１０はサーバ１００に録画の代行を要請する（ステップＳ２１６）。なお、おススメ録画予約命令ではなく通常の録画命令を受け付けた場合は、ステップＳ２１４からの処理を実行せずにローカルで通常の録画を行う。
【００７４】
サーバ１００のＣＰＵ１１０は、録画機器２００Ａ−１からの録画代行の要請を受けると、グループ管理データ１２１を参照して録画機器２００Ａ−１と同じグループの他の録画機器を抽出し、通信インターフェイス１６０を介して当該他の録画機器に録画依頼を振り分ける（ステップＳ２２２）。
【００７５】
他の録画機器２００Ｂ−１，２００Ｂ−２，２００Ｂ−３，２００Ｃ−１の各々は、録画におススメの番組をテレビ３００などに表示させて、録画機器２００Ａ−１からの録画代行の依頼を受ける否かを判断する（ステップＳ２７２，ステップＳ２７４，ステップＳ２７６，ステップＳ２７８）。たとえば、ＣＰＵ２１０は、ユーザの指示に基づいて、録画機器２００Ａ−１からのおススメ録画命令を代行するか否かを判断する。ＣＰＵ２１０は、おススメ録画命令を代行する場合には、その旨をサーバ１００を介して、録画機器２００Ａ−１に伝える。
【００７６】
本実施の形態においても、録画予約依頼や録画依頼に基づく録画予約や録画データは、依頼元の承諾無しに勝手に削除できない構成であることが好ましい。
【００７７】
なお、おススメ録画命令を受け付けた場合に、第１から第３の実施の形態のように、メモリ残量によって他の録画機器に録画の代行を依頼してもよい。あるいは、おススメ録画命令を受け付けた場合に、第４の実施の形態のように、既に録画予約されている他の機器に録画の代行を依頼してもよい。
＜第６の実施の形態＞
【００７８】
各種のデータ構造は、第１から第５の実施の形態のものには限られない。たとえば、図３に示すように、グループ管理データ１２１が、会員ＩＤを介して、録画機器同士を紐づけるものには限られない。たとえば、図２６に示すように、グループ管理データ１２１Ｂは、ユーザを介さずに、録画機器同士を紐づけるものであってもよい。
【００７９】
あるいは、好みジャンルデータ１２２やＮＧジャンルデータ１２３が、録画機器ではなくユーザに紐付けられたり、家族や部署やグループなどに紐付けられたりしてもよい。
＜第７の実施の形態＞
【００８０】
また、第１〜第６の実施の形態のネットワークシステム１の各装置の役割の一部または全部を他の装置が実行してもよい。たとえば、サーバ１００や録画機器２００やテレビ３００の各々の役割の一部または全部を別の装置が担ったり、サーバ１００や録画機器２００やテレビ３００の各々の役割の一部または全部を複数の装置で担ったり、サーバ１００や録画機器２００やテレビ３００のいずれかがサーバ１００や録画機器２００やテレビ３００のいずれかの役割の一部または全部を担ったりしてもよい。
【００８１】
たとえば、図１１のステップＳ１１２における録画予約を完遂できるか否かの判断をサーバ１００が行ったり、ステップＳ１３２〜ステップＳ１３８における他の録画機器２００Ｂ−１，２００Ｂ−２，２００Ｂ−３，２００Ｃ−１のメモリの残量からの録画代行の可否の判断をサーバ１００が行ったりしてもよい。
【００８２】
あるいは、図２７に示すように、テレビ３００Ａ−１，３００Ｂ−１が、録画機器２００Ａ−１，２００Ｂ−１の機能を搭載していてもよい。あるいは、図２８に示すように、パーソナルコンピュータ４００Ａ−１，４００Ｂ−２，４００Ｃ−１が、録画機器２００Ａ−１，２００Ｂ−２，２００Ｃ−１とテレビ３００Ａ−１，３００Ｂ−２，３００Ｃ−１の機能を搭載していてもよい。
＜まとめ＞
【００８３】
上記の実施の形態においては、複数の録画装置２００Ａ−１，２００Ａ−２，２００Ｂ−１，２００Ｂ−２，２００Ｂ−３，２００Ｃ−１と、複数の録画装置のグループ関係を管理するサーバ１００と、を備えるネットワークシステム１が提供される。複数の録画装置のうちの第１の録画装置２００Ａ−１のメモリの残量が録画命令を完遂できない量である場合に、第１の録画装置の代わりに第１の録画装置と同じグループの第２の録画装置２００Ｂ−２が録画する。
【００８４】
好ましくは、複数の録画装置に第１のジャンルが対応付けられる。サーバは、第１の録画装置と同じグループのうちの、録画の対象に対応するジャンルと同じ第１のジャンルが対応付けられている録画装置を第２の録画装置として選択する。
【００８５】
好ましくは、サーバは、第１の録画装置と同じグループのうちの、過去に第１の録画装置が代わりに録画したことが多い録画装置を第２の録画装置として選択する。
【００８６】
好ましくは、サーバは、第１の録画装置と同じグループのうちの、メモリの残量が多い録画装置を第２の録画装置として選択する。
【００８７】
好ましくは、サーバは、第１の録画装置と同じグループのうちの、メモリ容量の内の残量の割合が多い録画装置を第２の録画装置として選択する。
【００８８】
好ましくは、第１の録画装置の代わりに第２の録画装置が録画した番組は第２の録画装置の録画リストに表示されない。
【００８９】
好ましくは、第１の録画装置の代わりに第２の録画装置が録画した番組が第２の録画装置の録画リストに表示される。
【００９０】
好ましくは、第１の録画装置の代わりに第２の録画装置が録画した番組のうち、第１の録画装置がおススメ指定した番組を第２の録画装置の録画リストに表示し、第１の録画装置がおススメ指定しなかった番組は第２の録画装置の録画リストに表示しない。
【００９１】
好ましくは、第１の録画装置の代わりに第２の録画装置が録画した番組は、第１の録画装置の録画リストに第２の録画装置を特定するための情報と共に表示される。
【００９２】
好ましくは、第１の録画装置の代わりに第２の録画装置が録画した番組に関して、第１の録画装置の録画リストに第２の録画装置を特定するための情報が表示されない。
【００９３】
上記の実施の形態においては、複数の録画装置２００Ａ−１，２００Ａ−２，２００Ｂ−１，２００Ｂ−２，２００Ｂ−３，２００Ｃ−１と、複数の録画装置のグループ関係を管理するサーバ１００と、を備えるネットワークシステム１が提供される。複数の録画装置のうちの第１の録画装置２００Ａ−１がおススメ録画命令を受け付けた場合、第１の録画装置と同じグループの少なくとも１つの第２の録画装置２００Ｂ−２から録画の提案を出力し、当該録画が承諾されると第１の録画装置の代わりに第２の録画装置が録画する。
【００９４】
好ましくは、複数の録画装置に第２のジャンルが対応付けられる。サーバは、録画命令に対応するジャンルと同じ第２のジャンルが対応付けられている録画装置は、第２の録画装置に選択しない。
【００９５】
上記の実施の形態においては、複数の録画装置２００Ａ−１，２００Ａ−２，２００Ｂ−１，２００Ｂ−２，２００Ｂ−３，２００Ｃ−１と、複数の録画装置のグループ関係を管理するサーバ１００と、を備えるネットワークシステム１が提供される。複数の録画装置のうちの第２の録画装置２００Ｂ−２が録画命令を受け付けた際に、第２の録画装置と同じグループの第１の録画装置２００Ａ−１は当該録画命令と同じ録画を実行しない。
【００９６】
好ましくは、第２の録画装置は、第１の録画装置の代わりに録画するための録画予約は第１の録画装置の許可がない場合は削除しない。
【００９７】
好ましくは、第２の録画装置は、第１の録画装置の代わりに録画したデータは第１の録画装置の許可がない場合は削除しない。
【００９８】
好ましくは、第２の録画装置は、第１の録画装置の代わりに録画したデータは第１の録画装置による視聴まで削除しない。
【００９９】
好ましくは、第１の録画装置が受け付けた録画命令に関する情報をＳＮＳに投稿する。
【０１００】
好ましくは、第１の録画装置が受け付けた録画対象が第１の録画装置のユーザのＳＮＳの友達の録画装置が受け付けた録画対象と同じ場合に、当該友達の録画装置または第１の録画装置に同じグループへの加入を提案する。
【０１０１】
上記の実施の形態においては、第１の録画装置２００Ａ−１が録画命令を受け付けるステップと、第１の録画装置のメモリの残量が録画命令を完遂できない量である場合に、第１の録画装置の代わりに第１の録画装置と同じグループの第２の録画装置２００Ｂ−２が録画命令に基づいて録画するステップと、を備える情報処理方法が提供される。
【０１０２】
上記の実施の形態においては、複数の録画装置２００Ａ−１，２００Ａ−２，２００Ｂ−１，２００Ｂ−２，２００Ｂ−３，２００Ｃ−１と通信するための通信インターフェイス１６０と、通信インターフェイスを介して、複数の録画装置のうちの第１の録画装置２００Ａ−１が受け付けた録画命令を受信して、第１の録画装置のメモリの残量が録画命令を完遂できない量である場合に、第１の録画装置の代わりに第１の録画装置と同じグループの第２の録画装置２００Ｂ−２に録画をさせるためのプロセッサ１１０と、を備えるサーバ１００が提供される。
【０１０３】
上記の実施の形態においては、通信インターフェイス１６０と、プロセッサ１１０とを含むサーバ１００における情報処理方法が提供される。情報処理方法は、プロセッサが、通信インターフェイスを介して、複数の録画装置のうちの第１の録画装置２００Ａ−１が受け付けた録画命令を受信するステップと、プロセッサが、第１の録画装置のメモリの残量が録画命令を完遂できない量である場合に、通信インターフェイスを介して、第１の録画装置の代わりに第１の録画装置と同じグループの第２の録画装置２００Ｂ−２に録画をさせるステップと、を備える。
【０１０４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０５】
１            ：ネットワークシステム
１００        ：管理サーバ
１１０        ：ＣＰＵ
１２０        ：メモリ
１２１        ：グループ管理データ
１２１Ｂ      ：グループ管理データ
１２２        ：お好みジャンルデータ
１２３        ：ＮＧジャンルデータ
１２４        ：予約管理データ
１２５        ：録画管理データ
１２６        ：機器管理データ
１４０        ：操作部
１６０        ：通信インターフェイス
２００        ：録画機器
２１０        ：ＣＰＵ
２２０        ：メモリ
２３０        ：ディスプレイ
２４０        ：操作部
２６０        ：通信インターフェイス
２９０        ：外部出力インターフェイス
３００        ：テレビ
３１０        ：ＣＰＵ
３２０        ：メモリ
３３０        ：ディスプレイ
３４０        ：操作部
３５０        ：リモコン受光部
３７０        ：スピーカ
３９０        ：外部入力インターフェイス
４００Ａ−１  ：パーソナルコンピュータ
【図１】
2019047348.tif 000003
【図２】
2019047348.tif 000004
【図３】
2019047348.tif 000005
【図４】
2019047348.tif 000006
【図５】
2019047348.tif 000007
【図６】
2019047348.tif 000008
【図７】
2019047348.tif 000009
【図８】
2019047348.tif 000010
【図９】
2019047348.tif 000011
【図１０】
2019047348.tif 000012
【図１１】
2019047348.tif 000013
【図１２】
2019047348.tif 000014
【図１３】
2019047348.tif 000015
【図１４】
2019047348.tif 000016
【図１５】
2019047348.tif 000017
【図１６】
2019047348.tif 000018
【図１７】
2019047348.tif 000019
【図１８】
2019047348.tif 000020
【図１９】
2019047348.tif 000021
【図２０】
2019047348.tif 000022
【図２１】
2019047348.tif 000023
【図２２】
2019047348.tif 000024
【図２３】
2019047348.tif 000025
【図２４】
2019047348.tif 000026
【図２５】
2019047348.tif 000027
【図２６】
2019047348.tif 000028
【図２７】
2019047348.tif 000029
【図２８】
2019047348.tif 000030